(57)【要約】【課題】遮断弁回路故障時に、遮断弁駆動回路と同一構成を有する電池電圧検出回路から遮断弁駆動信号の代用として擬似負荷信号を出力し、遮断弁を駆動すること。【解決手段】遮断弁３を駆動したにもかかわらず、流量値に相当する流量パルス信号ａが発生した時、流量パルス数が規定値以上に達すると、遮断弁出力切替部１２の切り替えを行い、擬似負荷信号ｃを遮断弁３を駆動可能とし、ガス遮断装置交換までの間に、安全機能を保有した状態でのガス使用を可能とすることを目的とする。【選択図】図１
2005233871.tif 000002
【特許請求の範囲】
【請求項１】
ガスメータのガス流路内に設けられた遮断弁と、前記ガス流路を通過するガス流量を測定し、流量値に相当する流量パルス信号を出力する流量測定部と、前記ガスメータに内蔵された電源用の電池と、遮断弁駆動信号を出力し、前記遮断弁を駆動することで前記ガス流路を閉止する遮断弁駆動回路と、前記遮断弁と同等の抵抗値を有した擬似負荷に一定時間毎に擬似負荷信号を出力し、前記遮断弁駆動回路と同一構成を有する電池電圧検出回路と、前記擬似負荷に通電した時の前記電池の電圧が予め規定された電圧の範囲内であるかを判定した電池電圧判定信号を出力する電池電圧判定部と、前記電池電圧判定信号を受け取り、前記電池電圧判定信号が規定範囲外であれば前記遮断弁駆動部に電圧低下信号を出力する電池電圧低下検出部と、前記遮断弁が閉時に流量測定部から出力される流量パルス信号をカウントし、カウント数が規定値以上になるとオーバーフロー信号を出力するカウンタ部と、前記オーバーフロー信号を受け取ると、前記擬似負荷信号出力を前記擬似負荷から前記遮断弁に切り替える遮断弁出力切替部とを有するガス遮断装置。
【請求項２】
遮断弁駆動回路の遮断弁駆動信号の出力を停止させる遮断弁駆動信号停止部を有する請求項１に記載のガス遮断装置。
【請求項３】
遮断弁出力切替部の切り替えを行ったことを検出する切替検出部と、切替検出部からの切替信号を集中監視センタに転送する通信部を有する請求項１または２に記載のガス遮断装置。
【発明の詳細な説明】
【技術分野】
【０００１】
本発明は、ガスメータ以後のガス使用時にガス使用上の安全を図るガス遮断装置に関するものである。
【背景技術】
【０００２】
従来のガス遮断装置において、ガス流路を閉栓するための遮断弁と、遮断弁を駆動するためのガス遮断制御部と、電源である電池とで構成されているものであった（例えば、特許文献１参照）。
【０００３】
図２は、従来のガス遮断装置の構成を示すブロック図である。図２おいて、ガス遮断装置１８は、所定の動作保証時間内のガス遮断装置１８の動作が可能な電池電源２５の容量が残されている消耗状態の電池電圧を検出して電圧低下信号ｆを出力する電圧低下検出部１９と、前記電圧低下信号ｆが入力されたときから遮断弁２４の開栓受け付けを行って、開栓要求（開栓要求スイッチまたは通信による開栓信号の入力による）があったときに開栓要求信号ｇを出力する開栓受付部２０と、前記電圧低下信号ｆが入力されたときから所定の動作保証時間をカウントして開栓終了信号ｈを出力するタイマー部２１と、前記開栓終了信号ｈが入力されたときに前記開栓要求信号ｇによる開栓を停止する閉栓停止信号ｉを出力する開栓機能遮断弁駆動信号停止部２２と、前記電圧低下信号ｆまたは前記閉栓停止信号ｉが入力されたとき遮断弁２４を閉栓動作させ、前記閉栓停止信号ｉの入力以前に前記開栓要求信号ｇが入力されたときに遮断弁２４を開栓させるガス遮断制御部２３とを備えて構成されている。
【特許文献１】特開平１０−１０３５４６号公報
【発明の開示】
【発明が解決しようとする課題】
【０００４】
しかしながら、従来の図２に示すようなガス遮断装置の構成では、遮断弁を駆動する遮断弁駆動回路が故障した場合には、緊急時に遮断弁駆動信号によって遮断弁を遮断することが不可能となって、安全機能が損なわれる危険があるという課題を有していた。
【０００５】
本発明は、上記従来の問題点を解決したもので、遮断弁回路故障時に、遮断弁駆動回路と同一構成を有する電池電圧検出回路により遮断弁を駆動可能とし、ガス遮断装置交換までの間に、安全機能を保有した状態でのガス使用を可能とすることを目的とする。
【課題を解決するための手段】
【０００６】
前記従来の課題を解決するために、本発明のガス遮断装置は、ガスメータのガス流路内に設けられた遮断弁と、前記ガス流路を通過するガス流量を測定し、流量値に相当する流量パルス信号を出力する流量測定部と前記ガスメータに内蔵された電源用の電池と、遮断弁駆動信号を出力し、前記遮断弁を駆動することで前記ガス流路を閉止する遮断弁駆動部と、前記遮断弁と同等の抵抗値を有した擬似負荷に一定時間毎に擬似負荷信号を出力し、遮断弁駆動回路と同一構成を有する電池電圧検出回路と、前記擬似負荷に通電した時の前記電池の電圧が予め規定された電圧の範囲内であるかを判定した電池電圧判定信号を出力する電池電圧判定部と、前記電池電圧判定信号を受け取り、前記電池電圧判定信号が規定範囲外であれば前記遮断弁駆動部に電圧低下信号を出力する電池電圧低下検出部と、前記遮断弁が閉時に流量測定部から出力される流量パルス信号をカウントし、カウント数が規定値以上になるとオーバーフロー信号を出力するカウンタ部と、前記オーバーフロー信号を受け取ると、前記擬似負荷信号出力を前記擬似負荷から前記遮断弁に切り替える遮断弁出力切替部とを有することで、遮断弁駆動回路故障によるガス遮断装置の交換が必要となった場合、遮断弁駆動回路故障から交換作業開始までの期間中でも安全機能を保持したままでのガス使用を可能とすることができる。
【発明の効果】
【０００７】
本発明のガス遮断装置は、遮断弁駆動回路故障により、遮断弁に遮断弁駆動信号が出力されなくなった場合でも、遮断弁駆動回路と同一構成を有する電池電圧検出回路から遮断弁駆動信号の代用として擬似負荷信号を出力することで、遮断弁を駆動可能とし、ガス遮断装置交換までの間に、安全機能を保有した状態でのガス使用を可能とすることを目的とする。
【０００８】
また、予備の遮断弁駆動回路を設置することによる回路重複なしに、保安機能を高めることができる。
【発明を実施するための最良の形態】
【０００９】
第１の発明は、ガスメータのガス流路内に設けられた遮断弁と、前記ガス流路を通過するガス流量を測定し、流量値に相当する流量パルスを出力する流量測定部と前記ガスメータに内蔵された電源用の電池と、遮断弁駆動信号を出力し、前記遮断弁を駆動することで前記ガス流路を閉止する遮断弁駆動部と、前記遮断弁と同等の抵抗値を有した擬似負荷に一定時間毎に擬似負荷信号を出力し、遮断弁駆動回路と同一構成を有する電池電圧検出回路と、前記擬似負荷に通電した時の前記電池の電圧が予め規定された電圧の範囲内であるかを判定した電池電圧判定信号を出力する電池電圧判定部と、前記電池電圧判定信号を受け取り、前記電池電圧判定信号が規定範囲外であれば前記遮断弁駆動部に電圧低下信号を出力する電池電圧低下検出部と、前記遮断弁が閉時に流量測定部から出力される流量パルス信号をカウントし、カウント数が規定値以上になるとオーバーフロー信号を出力するカウンタ部と、前記オーバーフロー信号を受け取ると、前記擬似負荷信号出力を前記擬似負荷から前記遮断弁に切り替える遮断弁出力切替部とで構成してなることを特徴とする。
【００１０】
上記構成によれば、遮断弁駆動回路故障により、遮断弁に遮断弁駆動信号が出力されなくなった場合でも、遮断弁駆動回路と同一構成を有する電池電圧検出回路から遮断弁駆動信号の代用として擬似負荷信号を供給することで、遮断弁を駆動可能とし、ガス遮断装置交換までの間に、安全機能を保有した状態でのガス使用を可能とすることを目的とする。
【００１１】
また、予備の遮断弁駆動回路を設置することによる回路重複なしに、保安機能を高めることができる。
【００１２】
第２の発明は第１の発明に遮断弁駆動回路の遮断弁駆動信号の出力を停止させる遮断弁駆動信号停止部を有したものである。
【００１３】
上記構成によれば、遮断弁駆動回路故障により、遮断弁駆動信号の出力が停止しなくなった場合に、強制的に前記遮断弁駆動信号を停止させることで、電池の消耗を防ぐことができる。
【００１４】
第３の発明は第１または２の発明に遮断弁出力切替部、切替検出部からの切替信号を集中監視センタに転送する通信部を有したものである。
【００１５】
上記構成によれば、切替信号により回路故障情報を集中監視センタに転送することで、回路故障後に速やかに現場に向かうことができる。
【００１６】
以下、本発明の実施の形態におけるガス遮断装置について図面を参照しながら説明する。なお、この実施の形態によって本発明が限定されるものではない。
【００１７】
（実施の形態１）
図１は本発明の第１の実施の形態におけるガス遮断装置の構成図である。
【００１８】
図１において、ガスメータ１のガス流路２内に設けられた遮断弁３と、ガス流路２を通過するガス流量を測定し、流量値に相当するａを出力する流量測定部４とガスメータ１に内蔵された電源用の電池５と、遮断弁駆動信号ｂを出力し、遮断弁３を駆動することでガス流路２を閉止する遮断弁駆動回路６と、遮断弁３と同等の抵抗値を有した擬似負荷７に一定時間毎に擬似負荷信号ｃを出力し、遮断弁駆動回路６と同一構成を有する電池電圧検出回路８と、擬似負荷７に擬似負荷信号ｃを出力された時の電池５の電圧が予め規定された電圧の範囲内であるかを判定した電池電圧判定信号ｄを出力する電池電圧判定部９と、電池電圧判定信号ｄを受け取り、電池電圧判定信号ｄが規定範囲外であれば遮断弁駆動回路６に電圧低下信号ｅを出力する電池電圧低下検出部１０と、遮断弁３が閉時に流量測定部４から出力される流量パルス信号ａをカウントし、カウント数が規定値以上になるとオーバーフロー信号ｆを出力するカウンタ部１１と、オーバーフロー信号ｆを受け取ると、擬似負荷信号出力ｃを擬似負荷７から遮断弁３に切り替える遮断弁出力切替部１２とを有するガス遮断装置である。
【００１９】
本実施の形態において、遮断弁３を駆動したにもかかわらず、流量値に相当する流量パルス信号ａが発生した場合、遮断弁駆動回路の故障により遮断弁３が正しく駆動されずガス流路２を閉止できなかったと考えられる。しかし、遮断弁３を駆動した後、流量パルス数が規定値以上に達した時、遮断弁出力切替部１２の切り替えを行い、擬似負荷信号ｃを遮断弁３に出力することで、遮断弁３を駆動することができる。
【００２０】
なお擬似負荷信号ｃにて遮断弁３が駆動できるのは、遮断弁駆動回路６と電池電圧検出回路８が同一構成であるために同一出力を有するからである。
【００２１】
このように遮断弁駆動回路６が故障し、遮断弁駆動信号ｂを出力できない状態でも、電池電圧検出回路８から擬似負荷信号ｃを遮断弁３に供給をすることで遮断弁３を駆動可能とし、ガス遮断装置交換までの間に、安全機能を高めることができる。
【００２２】
また、予備の遮断弁駆動回路６を設置することによる回路重複なしに保安機能を高めることができる。
【００２３】
また、遮断弁駆動回路６の遮断弁駆動信号ｂの出力を停止させる遮断弁駆動信号停止部１３を有しており、遮断弁駆動信号ｂが一定時間以上出力されたことを検出すると、遮断弁駆動信号ｂを遮断弁駆動信号停止部１３が停止させることにより、電池５の早期消耗を防ぐことができ、従来の様に、遮断弁駆動回路６の故障により、遮断弁駆動信号ｂが出力され続けた場合に、電池５の消耗を早めてしまうことがない。
【００２４】
また、遮断弁駆動信号ｂを遮断弁駆動信号停止部１３が停止させているときの遮断弁３の駆動は、電池電圧検出回路８、及び遮断弁出力切替部１２を動作させ、擬似負荷信号ｃを用いて遮断弁３を駆動することができる。
【００２５】
また、本実施の形態に遮断弁出力切替部１２の切り替えを行ったことを検出する切替検出部１４と、切替検出部１４からの切替信号ｇを集中監視センタに転送する通信部１５を有したものである。
【００２６】
さらに、切替信号ｇを通信部１５を介して、集中監視センタに転送することで、遮断弁駆動回路６が故障したことを知らせることができるため、遮断弁駆動回路６故障後に速やかに現場に向かうことができる。
【産業上の利用可能性】
【００２７】
以上のように、本発明にかかるガス遮断装置は、ガスメータ以後のガス使用時にガス使用上の安全を図るガス遮断装置に関するものである用途に適用することができる。
【図面の簡単な説明】
【００２８】
【図１】本発明の実施の形態１におけるガス遮断装置の構成図
【図２】従来のガス遮断装置の構成図
【符号の説明】
【００２９】
１  ガスメータ
２  ガス流路
３  遮断弁
４  流量測定部
５  電池
６  遮断弁駆動回路
７  擬似負荷
８  電池電圧検出回路
９  電池電圧判定部
１０  電池電圧低下検出部
１１  カウンタ部
１２  遮断弁出力切替部
１３  遮断弁駆動信号停止部
１４  切替検出部
１５  通信部
【図１】
2005233871.tif 000003
【図２】
2005233871.tif 000004